(57)【特許請求の範囲】
【請求項１】
水栓基部と、この水栓基部によって保持される吐水管と、前記水栓基部から吐水管に送られる水の流量を調整するための流量調整機構とを備えたシングルレバー式水栓であって、
前記水栓基部が、前記流量調整機構を保持するための保持部と、この保持部に水を導入するための導入路と、前記保持部からの水を前記吐水管に導出するための導出路とを有しており、また、前記流量調整機構が、前記導入路に連通する導入貫通孔および前記導出路に連通する導出貫通孔を有する固定ディスクと、この固定ディスクの上面に移動自在に設けられ、前記固定ディスクとの接合面に凹部が形成された可動ディスクと、前記固定ディスクおよび可動ディスクを支持する支持部材と、上下方向の回動により前記可動ディスクを移動させる操作レバーとを備え、前記操作レバーの回動により、前記可動ディスクを、前記凹部が前記導入貫通孔を閉塞する閉塞位置と、前記凹部が前記導入貫通孔および導出貫通孔に跨がる開放位置とに移動させるよう構成されており、
さらに、前記保持部は、底壁部および周壁部によって形成された凹入空間を有しており、前記底壁部の上面の前記凹入空間内には、平面視が環状の突設体が設けられており、この突設体の内側は前記固定ディスクの前記導入貫通孔に連通し、前記突設体の外側は前記固定ディスクの前記導出貫通孔に連通しており、
しかも前記導出路は、
前記吐水管が接続される導出口部と、
上流端が前記凹入空間を介して前記固定ディスクの前記導出貫通孔に連通する一方、下流端が前記導出口部に連通する複数の流路とからなることを特徴とするシングルレバー式水栓。
【請求項２】
前記複数の流路は、上流端が前記凹入空間における突設体の外側に連通しており、
さらに、前記固定ディスクは、前記突設体の内側に配置される環状の小パッキンおよび前記底壁部の周縁に配置される環状の大パッキンそれぞれの上面に配置されており、
また、前記導入貫通孔は、その下端開口が円形状であり、その上端開口は下端開口よりも面積が大きい楕円形状に形成されているとともに、前記導出貫通孔は、その上端開口および下端開口がほぼ三日月状で、上端開口が下端開口よりも面積が大きくなるように形成されている請求項１に記載のシングルレバー式水栓。
【発明の詳細な説明】
【０００１】
【発明の属する技術分野】
本発明は、操作レバーを上下方向に回動操作することにより吐水するシングルレバー式水栓に関する。
【０００２】
【従来の技術】
従来、水道水などを吐水する水栓としては、回転式操作ハンドルによる自在水栓が一般的であり、たとえば図７に示すような構成になっている。すなわち、青銅鋳物からなる蛇口本体３９は、後側に設けられた前後方向に給水部４０と、中央部の上面に設けられた上下方向の取付部４１と、前側に下方に湾曲して設けられた吐水部４２とから構成され、前記給水部４０に給水路４３が形成され、前記取付部４１の取付口４４から前記吐水部４２の吐水口４５にかけて吐水路４６が形成され、給水路４３と吐水路４６とを仕切った隔壁４７に形成された連通孔４８により、給水路４３および吐水路４６が連通している。
【０００３】
４９は、取付部４１の吐水路４４内に挿通される上下方向の栓棒であり、上部が取付口４４から上方に突出する。５０は栓棒４９の下側に形成された挿通孔であり、挿通孔５０に棒体５１が上下動自在に設けられ、この棒体５１に円板状の台座５２が固着され、台座５２の下面に合成ゴムからなるパッキン５３が設けられ、止水時、前記挿通孔５０の周縁部に突設された環状の弁座５４に圧接する。５５は栓棒４９に形成されたねじ部であり、取付部４１の内面に螺合して吐水路４６を閉塞する。
【０００４】
５６は、栓棒４９の上部が挿通される押さえ金具であり、内部に三角パッキン５７が設けられ、このパッキン５７が受板５８により押さえ金具５６内に支持されている。５９は、操作ハンドルであり、ねじ６０により栓棒４９の上端部に固定され、押さえ金具５６が蛇口本体３９の取付部４１に螺合し、栓棒４９、パッキン５７、押さえ金具５６、操作ハンドル５９からなる自在水栓本体６１が蛇口本体３９に取り付けられる。
【０００５】
そして、操作ハンドル５９を左回転して緩めると、栓棒４９が上方に移動し、パッキン５７が水圧により押し上げられて弁座５４から離脱し、蛇口本体３９の給水路４３から連通孔４８を介して吐水路４６に水が流れ、吐水路４６の吐水口４５から吐水される。また、前記操作ハンドル５９を回動操作することによって吐水流量を適宜調節することができる。
【０００６】
【発明が解決しようとする課題】
しかし、従来の前記自在水栓の場合、操作ハンドル５９の回動操作により流量調整を行っているため、前記操作に比較的大きな力が必要であり、また、操作ハンドル５９の回動操作を繰り返すことによりゴム製であるパッキン５７が劣化し、さらに、操作ハンドル５９の回動操作に伴う摩擦により、異音が生じるという問題があった。
【０００７】
しかも、パッキン５７が劣化すると、操作ハンドル５９を締めつけても、完全に止水することができず、水漏れが生じ、止水する際、操作ハンドル５９をきつく締めつける必要があるという問題もあった。
【０００８】
本発明は上述の事柄に留意してなされたもので、その目的は、小さい力で流量調節および止水を行うことができるとともに無駄な吐水を防止でき、また、長寿命化を図ることができるとともに、異音の発生を抑えることが可能なシングルレバー式水栓を提供することである。
【０００９】
【課題を解決するための手段】
上記目的を達成するために、本発明のシングルレバー式水栓は、水栓基部と、この水栓基部によって保持される吐水管と、前記水栓基部から吐水管に送られる水の流量を調整するための流量調整機構とを備えたシングルレバー式水栓であって、
前記水栓基部が、前記流量調整機構を保持するための保持部と、この保持部に水を導入するための導入路と、前記保持部からの水を前記吐水管に導出するための導出路とを有しており、また、前記流量調整機構が、前記導入路に連通する導入貫通孔および前記導出路に連通する導出貫通孔を有する固定ディスクと、この固定ディスクの上面に移動自在に設けられ、前記固定ディスクとの接合面に凹部が形成された可動ディスクと、前記固定ディスクおよび可動ディスクを支持する支持部材と、上下方向の回動により前記可動ディスクを移動させる操作レバーとを備え、前記操作レバーの回動により、前記可動ディスクを、前記凹部が前記導入貫通孔を閉塞する閉塞位置と、前記凹部が前記導入貫通孔および導出貫通孔に跨がる開放位置とに移動させるよう構成されており、
さらに、前記保持部は、底壁部および周壁部によって形成された凹入空間を有しており、前記底壁部の上面の前記凹入空間内には、平面視が環状の突設体が設けられており、この突設体の内側は前記固定ディスクの前記導入貫通孔に連通し、前記突設体の外側は前記固定ディスクの前記導出貫通孔に連通しており、
しかも前記導出路は、
前記吐水管が接続される導出口部と、
上流端が前記凹入空間を介して前記固定ディスクの前記導出貫通孔に連通する一方、下流端が前記導出口部に連通する複数の流路とからなることを特徴としている（請求項１）。
この場合、前記複数の流路は、上流端が前記凹入空間における突設体の外側に連通しており、
さらに、前記固定ディスクは、前記突設体の内側に配置される環状の小パッキンおよび前記底壁部の周縁に配置される環状の大パッキンそれぞれの上面に配置されており、
また、前記導入貫通孔は、その下端開口が円形状であり、その上端開口は下端開口よりも面積が大きい楕円形状に形成されているとともに、前記導出貫通孔は、その上端開口および下端開口がほぼ三日月状で、上端開口が下端開口よりも面積が大きくなるように形成されているのが好ましい（請求項２）。
【００１０】
上記の構成により、小さい力で流量調節および止水を行うことができるとともに無駄な吐水を防止でき、また、長寿命化を図ることができるとともに、異音の発生を抑えることが可能なシングルレバー式水栓を提供することができる。
【００１１】
【発明の実施の形態】
以下、この発明の実施例を、図を参照しながら説明する。
図１は、本発明の第一実施例に係るシングルレバー式水栓（以下、単に水栓という）Ｄの構成を概略的に示す縦断面図、図２（Ａ）は、前記水栓基部Ａおよび流量調整機構Ｃの構成を概略的に示す平面図、図２（Ｂ）は、前記水栓基部Ａの構成を概略的に示す底面図、図３（Ａ）は、前記水栓基部Ａの前部の構成を概略的に示す縦断面図、図３（Ｂ）は、前記水栓基部Ａの後部の構成を概略的に示す背面図である。
水栓Ｄは、たとえば壁付タイプの単水栓であり、水栓基部Ａと、この水栓基部Ａによって保持される吐水管Ｂと、前記水栓基部Ａから吐水管Ｂに送られる水の流量を調整するための流量調整機構Ｃとを備えている。
【００１２】
前記水栓基部Ａは、前記流量調整機構Ｃを保持するための保持部１と、この保持部１に水を導入するための導入路２と、前記保持部１からの水を吐水管Ｂに導出するための導出路３とを有している。
【００１３】
前記保持部１は、凹入空間Ｓを形成する底壁部４および周壁部５からなる。前記底壁部４は、その平面視がたとえば円形状となるように形成されており、また、前記周壁部５は、前記底壁部４の周縁から上方に連設されている。
【００１４】
また、前記底壁部４の上面には、平面視が環状の突設体４ａが設けられており、この突設体４ａの内側は前記導入路２に連通し、突設体４ａの外側は前記導出路３に連通している。
【００１５】
前記導入路２の上流端部には、給水配管（図示せず）の下流端部に設けられた接続口（図示せず）に対して適宜の手段（たとえば螺着・シールテープなど）によって連通状態に固定される導入口部２ａが設けられている。
【００１６】
前記導出路３は、前記吐水管Ｂが接続される導出口部３ａと、上流端が前記凹入空間Ｓに連通し、下流端が前記導出口部３ａに連通する複数の小径流路３ｂ，３ｂ…（図２（Ｂ）参照）とからなる。
【００１７】
前記吐水管Ｂの上流端部は、パッキン６ａおよび保持部材６ｂを介して前記導出口部３ａに回動可能に接続されており、前記パッキン６ａおよび保持部材６ｂは、導出口部３ａに螺着される袋ナット６ｃによって保持されている。
【００１８】
また、吐水管Ｂの下流端部には、その吐水口部７に整流器８を備えた樹脂性キャップ９が装着されている。
【００１９】
図４は、前記流量調整機構Ｃの構成を概略的に示す分解斜視図である。
前記流量調整機構Ｃは、前記導入路２に連通する導入貫通孔１０および前記導出路３に連通する導出貫通孔１１を有する固定ディスク１２と、この固定ディスク１２の上面に移動自在に設けられ、前記固定ディスク１２との接合面に凹部１３（図１等参照）が形成された可動ディスク１４と、前記固定ディスク１２および可動ディスク１４を支持する支持部材１５と、上下方向の回動により前記可動ディスク１４を移動させる操作レバー１６とを備えている。
【００２０】
前記固定ディスク１２は、セラミックからなり、前記導入貫通孔１０をその中心部に有するとともに、前記導出貫通孔１１を導入貫通孔１０の側方に有している。また、その周縁部の対向する位置には、後述する支持部材１５の係合片３３，３３に係止される係合凹部１７，１７が設けられている。
【００２１】
前記導入貫通孔１０は、その下端開口が円形状であり、その上端開口は下端開口よりも面積が大きい楕円形状に形成されている。また、前記導出貫通孔１１は、その上端開口および下端開口がほぼ三日月状で、上端開口が下端開口よりも面積が大きくなるように形成されている。
【００２２】
そして、上記の構成からなる固定ディスク１２は、前記保持部１の底壁部４に設けられた突設体４ａの内側に配置される環状の小パッキン１８および前記底壁部４の周縁に配置される環状の大パッキン１９の上面に配置される。
【００２３】
前記可動ディスク１４は、前記固定ディスク１２と同材質からなり、固定ディスク１２に水密状態で摺動自在に上載され、前記凹部１３を下面の中央部に有している。また、その周縁部の対向する位置には、係止凹部２０，２０が設けられており、この係止凹部２０，２０に係止する係止片２１，２１を両端に垂下状に有するガイド２２が、可動ディスク１４の上面に載設されている。
【００２４】
前記ガイド２２は、たとえば合成樹脂材からなり、その上面には、突設体２３が設けられている。この突設体２３の中央部には、支持部２４が設けられている。
【００２５】
前記支持部材１５は、たとえば合成樹脂製であり、上部材２５と、この上部材２５に着脱自在に係止することが可能な下部材２６とからなる。
【００２６】
前記上部材２５は、下部の周縁部の対向する位置に垂下状に支持片２７，２７を有するとともに、上部には前記操作レバー１６を支持するための支持体２８を有している。
【００２７】
前記係合片２７の下端部には、係止部２７ａが形成されている。
【００２８】
前記支持体２８は、その上面の中央部にガイド孔２９を有し、このガイド孔２９に直交する位置に貫通孔３０を有している。また、前記ガイド孔２９の両側壁の対向する位置には、突条体３１，３１（図５（Ａ）参照）が形成されている。
【００２９】
前記下部材２６は、環状部材３２と、この環状部材３２の対向する位置に立設された係合片３３，３３とからなる。
【００３０】
前記係合片３３の上端部には、前記上部材２５の係合片２７の係止部２７ａに係止させることが可能な係止部３３ａが形成されている。
【００３１】
上記の構成からなる支持部材１５は、前記固定ディスク１２、可動ディスク１４およびガイド２２を収容することができる。すなわち、前記上部材２５と下部材２６とを外してある状態で、たとえば下部材２６内に固定ディスク１２、可動ディスク１４およびガイド２２を順次収容し、その後、下部材２６に上部材２５を係止することで、支持部材１５に、固定ディスク１２、可動ディスク１４およびガイド２２を収容させることができる。そして、この収容状態にある支持部材１５は、たとえば合成樹脂製のカバー３４によって覆うことができる。
【００３２】
前記操作レバー１６は、たとえば合成樹脂製であり、連動部材３５およびガイド２２を介して可動ディスク１４と連動するように構成されている。
【００３３】
前記連動部材３５は、たとえば金属材からなり、下部に軸孔３５ａを有するとともに、下端部に下端突子３５ｂを有している。そして、前記支持体２８の貫通孔３０および軸孔３５ａを貫通するピン３６によって、連動部材３５は、その下部が前記支持体２８のガイド孔２９を挿通し、前記下端突子３５ｂが前記ガイド２２の支持部２４に嵌入された状態に保持されることになる。また、連動部材３５は、前記ピン３６によって軸支される軸支部分に部分円弧面３５ｃを有しており、この部分円弧面３５ｃに前記支持体２８の突条体３１が摺接し、止水を司るように構成されている。
【００３４】
前記操作レバー１６は、装着部１６ａと、この装着部１６ａの端部から前方へ延設された把持部１６ｂとからなる。
【００３５】
前記装着部１６ａの内部には、前記連動部材３５の上部が嵌合される保持部１６ｃが形成されており、保持部１６ｃの螺孔１６ｄを挿通したネジ３７が、連動部材３５の嵌合凹部３５ｄに係止することで、操作レバー１６が連動部材３５に固定され、操作レバー１６を回動することにより、連動部材３５およびガイド２２を介して可動ディスク１４が前後方向に移動する。
【００３６】
なお、３８は、たとえば金属製のブッシングで、前記保持部１の周壁部４の上端部の内側に形成された雌ねじ部４ａに螺合する雄ねじ部３８ａを外面に有している。
【００３７】
図５において、（Ａ）は、前記流量調整機構の一部の構成を概略的に示す縦断面図であり、（Ｂ）は、（Ａ）の切断側面図であり、（Ｃ）は、（Ａ）のＸ−Ｘ線平面図であり、（Ｄ）は、（Ａ）のＹ−Ｙ線底面図である。
次に、上記の構成からなる流量調整機構Ｃの動作について説明する。
図１の実線は、止水状態にある水栓Ｄを示し、操作レバー１６が下端に位置し、図６（Ａ）に示すように、可動ディスク１４の凹部１３が固定ディスク１２の導入貫通孔１０を閉塞している。
【００３８】
この止水状態から操作レバー１６を若干上方に回動すると、図５（Ａ）に示すように、連動部材３５が直立状態になり、可動ディスク１４の凹部１３が、固定ディスク１２の導入貫通孔１０および導出貫通孔１１に跨がり、導出貫通孔１１が半開状態になる。このとき、凹部１３を介して導入貫通孔１０および導出貫通孔１１が連通し、導入路２から保持部１内に至った水が、少量だけ導出路３を通って吐水管Ｂに導出されることになる。
【００３９】
そして、前記操作レバー１６をさらに上方に回動すると、図６（Ｂ）に示すように、可動ディスク１４の凹部１３が若干移動し、導出貫通孔１１が全開状態になり、多量の水が吐水管Ｂに導出されることになる。
【００４０】
このように、操作レバー１６の回動により、可動ディスク１４の凹部１３が移動し、固定ディスク１４の導出貫通孔１１の開放面積が調整され、吐出管Ｂに導出する水の流量を適宜調整することができる。
【００４１】
上記の構成からなる水栓Ｄでは、操作レバー１６は上下方向に回動させる構成であることから、左右方向に回動させたり、軸芯まわりに回動させるタイプの水栓に比して、流量調整および止水のための操作をより小さい力で行うことが可能となる。
【００４２】
また、上記の構成からなる水栓Ｄにおいて、前記流量調整機構Ｃを構成する固定ディスク１２および可動ディスク１４がセラミックにより成形されていることから、水栓Ｄ自体の耐久性、耐熱性が向上し、長寿命化を図ることができるとともに、完全な止水を行え、水漏れを確実に防いで無駄な吐水を防止することができる。加えて、操作レバー１６の操作に伴って、異音が発生することがほとんど無い。
【００４３】
さらに、上記の構成からなる水栓Ｄでは、流量調整機構Ｃを、吐水管Ｂを保持する水栓基部Ａに無駄なスペースを設ける必要無く組み込むことが可能であることから、その構成をコンパクトなものとすることができる。
【００４４】
なお、上記の構成からなる水栓Ｄは、前記導入路２が水平に向く壁付タイプに限るものではなく、たとえば前記導入路２が鉛直方向に形成される竪付タイプであってもよい。
【００４５】
また、本発明にいう「水」は、湯を含む概念であり、本発明のシングルレバー式水栓Ｄは、給湯設備の下流側に設置して用いることもできる。
【００４６】
【発明の効果】
以上説明したように本発明によれば、小さい力で流量調節および止水を行うことができるとともに無駄な吐水を防止でき、また、長寿命化を図ることができるとともに、異音の発生を抑えることが可能なシングルレバー式水栓を提供することができる。
【図面の簡単な説明】
【図１】  本発明の第一実施例に係るシングルレバー式水栓の構成を概略的に示す縦断面図である。
【図２】  （Ａ）は、上記実施例における水栓基部および流量調整機構の構成を概略的に示す平面図であり、（Ｂ）は、水栓基部の構成を概略的に示す底面図である。
【図３】  （Ａ）は、前記水栓基部の前部の構成を概略的に示す縦断面図であり、（Ｂ）は、前記水栓基部の後部の構成を概略的に示す背面図である。
【図４】  前記流量調整機構の構成を概略的に示す分解斜視図である。
【図５】  （Ａ）は、前記流量調整機構の一部の構成を概略的に示す縦断面図であり、（Ｂ）は、（Ａ）の切断側面図であり、（Ｃ）は、（Ａ）のＸ−Ｘ線平面図であり、（Ｄ）は、（Ａ）のＹ−Ｙ線底面図である。
【図６】  （Ａ）は、閉塞状態にある流量調整機構の構成を概略的に示す説明図であり、（Ｂ）は、開放状態にある流量調整機構の構成を概略的に示す説明図である。
【図７】  従来例の自在水栓の構成を概略的に示す説明図である。
【符号の説明】
１…保持部、２…導入路、３…導出路、３ａ…導出口部、３ｂ，３ｂ…複数の流路、４…底壁部、４ａ…環状の突設体、５…周壁部、１０…導入貫通孔、１１…導出貫通孔、１２…固定ディスク、１３…凹部、１４…可動ディスク、１５…支持部材、１６…操作レバー、Ａ…水栓基部、Ｂ…吐水管、Ｃ…流量調整機構、Ｄ…シングルレバー式水栓、Ｓ…凹入空間。
【図１】
0004527847.tif 000002
【図２】
0004527847.tif 000003
【図３】
0004527847.tif 000004
【図４】
0004527847.tif 000005
【図５】
0004527847.tif 000006
【図６】
0004527847.tif 000007
【図７】
0004527847.tif 000008